(57)【要約】【課題】ユーザ情報管理装置が保持している在圏情報と実際の在圏状態とが異なる場合でも、着側端末への着信までの時間が長くならないようにする。【解決手段】複数の網それぞれについて着信側端末装置の在圏確認を行い（ステップＳ１０２〜Ｓ１０５）、その在圏確認結果に基づいて、複数の網それぞれを用いて着側端末３への接続要求を並行して送信する（ステップＳ１０６、Ｓ１１１）。複数の網それぞれを用いた着側端末３への接続要求を受信した場合、それら接続要求に対する応答を送信する（ステップＳ１１３）。接続要求に対する着側端末３からの応答のうちの１つに対応する網を用いて該着側端末３への接続を行う（ステップＳ１１６）。接続要求を各網に並行して送信することにより、ユーザ情報管理装置が保持している在圏情報と実際の在圏状態とが異なる場合でも、着信までの時間が長くなることはない。【選択図】図１
2008028636.tif 000002
【特許請求の範囲】
【請求項１】
複数の網を用いて接続可能な着信側端末装置への発信側端末装置からの接続を制御する交換装置であって、前記複数の網それぞれについて前記着信側端末装置の在圏確認を行う在圏確認手段と、前記在圏確認手段による在圏確認結果に基づいて、前記複数の網それぞれを用いて前記着信側端末装置への接続要求を並行して送信する接続要求手段と、前記接続要求に対する前記着信側端末装置からの応答のうちの１つに対応する網を用いて該着信側端末装置への接続を行う接続制御手段とを含むことを特徴とする交換装置。
【請求項２】
前記接続制御手段は、前記接続要求に対する前記着信側端末装置からの応答をすべて受信した後、接続可能な応答のうちのいずれか１つに対応する網のみを用いて前記着信側端末装置への接続を行うことを特徴とする請求項１記載の交換装置。
【請求項３】
前記接続制御手段は、前記接続要求に対する前記着信側端末装置からの応答のうち、最も早く受信した応答に対応する網のみを用いて前記着信側端末装置への接続を行うことを特徴とする請求項１記載の交換装置。
【請求項４】
複数の網のうちのいずれか１つを用いて他の端末装置と接続可能な端末装置であって、発信側端末装置から前記複数の網それぞれを用いた自装置への接続要求を受信した場合、それら接続要求に対する応答を送信する応答送信手段と、前記複数の網それぞれを用いた自装置への接続要求を受信した場合に、単一の着信報知を行う報知手段とを含むことを特徴とする端末装置。
【請求項５】
複数の網を用いて接続可能な着信側端末装置への発信側端末装置からの接続を制御する接続制御方法であって、前記複数の網それぞれについて前記着信側端末装置の在圏確認を行う在圏確認ステップと、前記在圏確認ステップによる在圏確認結果に基づいて、前記複数の網それぞれを用いて前記着信側端末装置への接続要求を並行して送信する接続要求ステップと、前記複数の網それぞれを用いた着信側端末装置への接続要求を受信した場合、それら接続要求に対する応答を送信する応答送信ステップと、前記接続要求に対する前記着信側端末装置からの応答のうちの１つに対応する網を用いて該着信側端末装置への接続を行う接続制御ステップと、を含むことを特徴とする接続制御方法。
【発明の詳細な説明】
【技術分野】
【０００１】
本発明は交換装置、端末装置、接続制御方法に関し、特に複数の網を用いて接続可能な着信側端末装置への発信側端末装置からの接続を制御するために用いられる交換装置、端末装置、接続制御方法に関する。
【背景技術】
【０００２】
ＩＭＴ（International Mobile Telecommunication）２０００に準拠した携帯電話サービスであるＦＯＭＡ（登録商標、以下同じ）サービスと無線ＬＡＮ（Local Area Network）を利用したＰＷＬＡＮ（Private Wireless Local Area Network）サービスとを利用しているユーザが存在する。ＦＯＭＡサービスは、ＩＭＴ２０００に準拠した網（以下、ＦＯＭＡ網と呼ぶ）を用いて携帯電話サービスを実現するものである。一方、ＰＷＬＡＮサービスは、無線ＬＡＮ（以下、無線ＬＡＮ網と呼ぶ）による接続サービスをするものである。
【０００３】
これら両方のサービスを利用しているユーザについて、それぞれのサービスに用いるＩＤ（すなわち電話番号）の他に、代表ＩＤ（すなわち代表番号）を設定するサービス（以下、ワンナンバーサービスと呼ぶ）の実現が望まれている。
このワンナンバーサービスにおいては、代表ＩＤへ、他の端末から発信した場合、複数種類の網（つまりベアラ）すなわちＦＯＭＡ網及び無線ＬＡＮ網を用いた接続要求が送信される可能性がある。
【０００４】
複数種類の網を用いて接続要求を送信する場合の処理例について、図７を参照して説明する。同図は、発信側の端末装置である発側端末２、発信側の交換装置である発側交換装置４、ユーザについてのプロファイル情報を保持するユーザ情報管理装置６、Ａ網による接続処理を制御するＡ網交換装置Ａ−１、Ｂ網による接続処理を制御するＢ網交換装置Ｂ−５、着信側の端末装置である着側端末３、の間における信号授受を示すシーケンス図である。なお、着側端末３は、ワンナンバーサービスを契約しているものとする。
【０００５】
同図を参照すると、着側端末３との接続を実現するため、発側端末２から発側交換装置４に向けて、接続要求を送信する（ステップＳ１０１）。この接続要求を受信した発側交換装置４は、ユーザ情報管理装置６に向けてユーザ情報問合せを送信する（ステップＳ１０２）。このユーザ情報問合せを受信したユーザ情報管理装置６は、Ａ網交換装置Ａ−１に、着側端末３についての在圏確認を送信する（ステップＳ１０３ａ）。また、ユーザ情報管理装置６は、Ｂ網交換装置Ｂ−５に、着側端末３についての在圏確認を送信する（ステップＳ１０３ｂ）。
【０００６】
その後、ユーザ情報管理装置６は、Ａ網交換装置Ａ−１、Ｂ網交換装置Ｂ−５から、在圏確認応答をそれぞれ受信する（ステップＳ１０４ａ、Ｓ１０４ｂ）。これら在圏確認応答を受信したユーザ情報管理装置６は、図８に示されているような、プロファイル情報を保持することになる。すなわち、着側端末３の着ユーザＩＤについて、Ａ網の在圏情報が「交換装置Ａ−１」、Ｂ網の在圏情報が「交換装置Ｂ−５」、というプロファイル情報を保持する。
【０００７】
図７に戻り、ユーザ情報管理装置６は、発側交換装置４に、ユーザ情報問合せ応答を送信する（ステップＳ１０５）。ユーザ情報問合せ応答を受信した発側交換装置４においては、Ａ網、Ｂ網について接続の優先順位が予め定められており、ここではＡ網を用いて着側端末３に接続すると判断する。このため、発側交換装置４は、Ａ網交換装置Ａ−１に向けて、接続要求を送信する（ステップＳ１０６）。ここで、なんらかの原因で着側端末３がＡ網によるサービスエリアの圏外の状態にあることが検出された場合（ステップＳ１０７）、Ａ網交換装置Ａ−１は、発側交換装置４に向けて、接続エラー応答を送信する（ステップＳ１０８）。
【０００８】
この場合、Ａ網を用いた着側端末３への接続が失敗したので、Ｂ網を用いて着側端末３に接続する必要ある。このため、発側交換装置４は、圏外であった旨のイベント通知をユーザ情報管理装置６に送信する（ステップＳ１０９）。すると、ユーザ情報管理装置６は、発側交換装置４に向けて転送指示を送信する（ステップＳ１１０）。
転送指示を受信した発側交換装置４は、Ｂ網交換装置Ｂ−５に向けて、Ｂ網による接続要求を送信する（ステップＳ１１１）。この接続要求を受信したＢ網交換装置Ｂ−５は、着側端末３へ、Ｂ網による接続要求を送信する（ステップＳ１１２）。その後、着側端末３から接続応答が送信され（ステップＳ１１３）、Ｂ網交換装置Ｂ−５、発側交換装置４、を順に経由して、発側端末２に接続応答が送信される（ステップＳ１１４、Ｓ１１５）。この接続応答を受信することにより、接続制御が行われる（ステップＳ１１６）。以後は、発側端末２と着側端末３との間で、Ｂ網を用いた接続による通話を行うことができる。
【０００９】
なお、複数種類の網によって情報を送信する技術は、特許文献１にも記載されている。
【特許文献１】特開２００５−２４４８１７号公報
【発明の開示】
【発明が解決しようとする課題】
【００１０】
上述したように接続要求を送信する場合、以下のような問題がある。すなわち、図８に示されている在圏情報をユーザ情報管理装置に保持し、それが実際の在圏状態と異なる場合、Ａ網を用いて接続要求を一旦送信した後、図７に示されているようにＢ網へリルーチングすると、着側端末への着信までの時間が長くなるという問題がある。このような問題点は、特許文献１に記載の技術では解決できない。
【００１１】
本発明は上述した従来技術の問題点を解決するためになされたものであり、その目的はユーザ情報管理装置に保持している在圏情報と実際の在圏状態とが異なる場合でも、着側端末への着信までの時間が長くなることのない交換装置、端末装置、接続制御方法を提供することである。
【課題を解決するための手段】
【００１２】
本発明の請求項１による交換装置は、複数の網を用いて接続可能な着信側端末装置への発信側端末装置からの接続を制御する交換装置であって、前記複数の網それぞれについて前記着信側端末装置の在圏確認を行う在圏確認手段と、前記在圏確認手段による在圏確認結果に基づいて、前記複数の網それぞれを用いて前記着信側端末装置への接続要求を並行して送信する接続要求手段と、前記接続要求に対する前記着信側端末装置からの応答のうちの１つに対応する網を用いて該着信側端末装置への接続を行う接続制御手段とを含むことを特徴とする。接続要求を各網に並行して送信することにより、ユーザ情報管理装置に保持している在圏情報と実際の在圏状態とが異なる場合でも、着側端末への着信までの時間が長くなることはない。
【００１３】
本発明の請求項２による交換装置は、請求項１において、前記接続制御手段は、前記接続要求に対する前記着信側端末装置からの応答をすべて受信した後、接続可能な応答のうちのいずれか１つに対応する網のみを用いて前記着信側端末装置への接続を行うことを特徴とする。後述する図５の処理内容に対応し、このように処理することにより、複数の網のうち、１つの網についてのみ接続することができる。
【００１４】
本発明の請求項３による交換装置は、請求項１において、前記接続制御手段は、前記接続要求に対する前記着信側端末装置からの応答のうち、最も早く受信した応答に対応する網のみを用いて前記着信側端末装置への接続を行うことを特徴とする。後述する図６の処理内容に対応し、このように処理することにより、複数の網のうち、１つの網についてのみ接続することができる。
【００１５】
本発明の請求項４による端末装置は、複数の網のうちのいずれか１つを用いて他の端末装置と接続可能な端末装置であって、発信側端末装置から前記複数の網それぞれを用いた自装置への接続要求を受信した場合、それら接続要求に対する応答を送信する応答送信手段と、前記複数の網それぞれを用いた自装置への接続要求を受信した場合に、単一の着信報知を行う報知手段とを含むことを特徴とする。こうすることにより、複数の網それぞれによる接続要求があった場合、着信報知をそれら接続要求それぞれについて行うのではなく、単一の着信報知を行うことにより、１つの網についてのみ接続することができる。
【００１６】
本発明の請求項５による接続制御方法は、複数の網を用いて接続可能な着信側端末装置への発信側端末装置からの接続を制御する接続制御方法であって、前記複数の網それぞれについて前記着信側端末装置の在圏確認を行う在圏確認ステップ（後述する図１中のステップＳ１０２〜Ｓ１０５に対応）と、前記在圏確認ステップによる在圏確認結果に基づいて、前記複数の網それぞれを用いて前記着信側端末装置への接続要求を並行して送信する接続要求ステップ（後述する図１中のステップＳ１０６、Ｓ１１１に対応）と、前記複数の網それぞれを用いた着信側端末装置への接続要求を受信した場合、それら接続要求に対する応答を送信する応答送信ステップ（後述する図１中のステップＳ１１３に対応）と、前記接続要求に対する前記着信側端末装置からの応答のうちの１つに対応する網を用いて該着信側端末装置への接続を行う接続制御ステップ（後述する図１中のステップＳ１１６に対応）と、を含むことを特徴とする。接続要求を各網に並行して送信することにより、ユーザ情報管理装置に保持している在圏情報と実際の在圏状態とが異なる場合でも、着側端末への着信までの時間が長くなることはない。
【発明の効果】
【００１７】
本発明によれば、接続要求を複数の網それぞれに並行して送信することにより、ユーザ情報管理装置に保持している在圏情報と実際の在圏状態とが異なる場合でも、着側端末への着信までの時間が長くなることはないという効果がある。
【発明を実施するための最良の形態】
【００１８】
以下、本発明の実施の形態を、図面を参照して説明する。なお、以下の説明において参照する各図では、他の図と同等部分は同一符号によって示されている。
（接続制御システム）
図２は、本発明による交換装置、及び、端末装置を利用した接続制御システムの構成例を示すブロック図である。同図を参照すると、本システムは、発信側の端末装置である発側端末２と、発信側の交換装置である発側交換装置４と、ユーザについてのプロファイル情報を保持するユーザ情報管理装置６と、Ａ網による接続処理を制御するＡ網交換装置Ａ−１と、Ｂ網による接続処理を制御するＢ網交換装置Ｂ−５と、着信側の端末装置であり、ワンナンバーサービスを契約している着側端末３とを含んで構成されている。
【００１９】
着側端末３は、複数の網のうちのいずれか１つを用いて他の端末装置と接続可能な端末装置である。
発側交換装置４は、複数の網を用いて接続可能な着側端末３への発側端末２からの接続を制御する交換装置である。
発側交換装置４には図示せぬ基地局制御装置等を介して無線基地局４３が接続され、この無線基地局４３によって無線サービスエリア４０が形成される。また、Ａ網交換装置Ａ−１には図示せぬ基地局制御装置等を介して無線基地局４４が接続され、この無線基地局４４によって無線サービスエリア４１が形成される。さらに、Ｂ網交換装置Ｂ−５には図示せぬ基地局制御装置等を介して無線基地局４５が接続され、この無線基地局４５によって無線サービスエリア４２が形成される。
【００２０】
（発側交換装置の構成例）
図２中の発側交換装置４の機能構成例について、図３を参照して説明する。同図に示されているように、発側交換装置４は、複数の網それぞれについて着側端末３の在圏確認を行う在圏確認手段４ａと、この在圏確認手段４ａによる在圏確認結果に基づいて、複数の網それぞれを用いて着側端末３への接続要求を並行して送信する接続要求手段４ｂと、この接続要求に対する着側端末３からの応答のうちの１つに対応する網を用いて着側端末３への接続を行う接続制御手段４ｃとを含んで構成されている。なお、この発側交換装置４は、一般的なサーバ装置を用いて構成することができる。
【００２１】
（着側端末の構成例）
図２中の着側端末３の機能構成例について、図４を参照して説明する。同図に示されているように、着側端末３は、発側端末２から複数の網それぞれを用いた自端末への接続要求を受信した場合、それら接続要求に対する応答を送信する応答送信手段３ａと、複数の網それぞれを用いた自端末への接続要求を受信した場合に、単一の着信報知を行う報知手段３ｂとを含んで構成されている。着側端末３は、一般的な携帯電話端末を用いて構成することができる。
【００２２】
報知手段３ｂは、図示せぬスピーカによる着信音出力や図示せぬバイブレータによる振動動作により、着信があったことをユーザに報知する。そして、複数の網それぞれによる接続要求があった場合、着信報知をそれら接続要求それぞれについて行うのではなく、単一すなわち１回のみ行う。このように、複数の網それぞれによる接続要求があった場合、単一の着信報知を行うことにより、１つの網についてのみ接続することができる。
【００２３】
（接続動作例）
図１は本発明による交換装置、及び、端末装置を利用した接続制御システムの信号授受例を示すシーケンス図である。なお、ユーザ情報管理装置６が保持しているプロファイル情報は、図８を参照して説明した内容と同様であるものとする。
同図において、発側端末２から接続要求を送信するステップＳ１０１から、発側交換装置４がユーザ情報問合せ応答を受信するステップＳ１０５までの処理は、図７を参照して説明した処理と同様である。
【００２４】
本システムでは、発側交換装置４が接続要求を送信する際、複数の網それぞれを用いて着側端末３への接続要求を並行して送信する（ステップＳ１０６、Ｓ１１１）。すなわち、本例では、Ａ網、Ｂ網それぞれを用いて接続要求を並行して送信する。なお同図では、作図の都合上、接続要求の送信タイミングに時間差があるが、実際にはＡ網、Ｂ網それぞれを用いた接続要求をほぼ同時に送信する。
【００２５】
このように送信された接続要求に対して、図７の場合と同様に、なんらかの原因で着側端末３がＡ網によるサービスエリアの圏外の状態にあることが検出された場合（ステップＳ１０７）、Ａ網交換装置Ａ−１は、発側交換装置４に向けて、接続エラー応答を送信する（ステップＳ１０８）。
【００２６】
これに対し、着側端末３がＢ網によるサービスエリアの圏内の状態にある場合、Ｂ網交換装置Ｂ−５は着側端末３に向けて、接続要求を送信する（ステップＳ１１２）。その後、着側端末３から接続応答が送信され（ステップＳ１１３）、Ｂ網交換装置Ｂ−５、発側交換装置４、を順に経由して、発側端末２に接続応答が送信される（ステップＳ１１４、Ｓ１１５）。この接続応答を受信することにより、接続制御が行われる（ステップＳ１１６）。以後は、発側端末２と着側端末３との間で、Ｂ網を用いた接続による通話を行うことができる。
【００２７】
以上のように、接続要求を各網に並行して送信することにより、ユーザ情報管理装置６が保持している在圏情報と実際の在圏状態とが異なる場合でも、着側端末への着信までの時間が長くなることはない。
【００２８】
（接続処理）
ところで、ユーザ情報管理装置が保持している在圏情報と実際の在圏状態とが一致している場合、各網に対する接続要求に対し、着側端末３から接続応答が複数送信されることになる。この場合、いずれかの接続応答についてのみ接続処理を行う。この場合における、図１中の接続制御（ステップＳ１１６）について、図５、図６を参照して説明する。
【００２９】
図５は、全ての接続応答を待ち、優先順位に従った接続制御を行う場合の処理例を示すフローチャートである。同図において、発側交換装置４から、複数網に対し、接続要求を送出する（ステップＳ２０１）。そして、発側交換装置４は、全ての網から接続応答又は接続エラー応答を受信するまで待ち状態となる（ステップＳ２０２）。
次に、全ての網からの応答が接続エラー応答ではない限り、接続応答の中から、予め定められた優先網設定に従って、呼を確立する（ステップＳ２０３→Ｓ２０４）。これに対し、全ての網からの応答が接続エラー応答である場合、発側端末に、接続エラー応答を送信し（ステップＳ２０３→Ｓ２０５）、処理は終了となる。
【００３０】
以上のように、接続可能な応答のうちのいずれか１つに対応する網のみを用いて着側端末への接続を行うことにより、複数の網のうち、１つの網についてのみ接続することができる。
一方、図６は、最も早い応答について接続制御を行う場合の処理例を示すフローチャートである。同図において、発側交換装置４から、複数網に対し、接続要求を送出する（ステップＳ３０１）。そして、発側交換装置４は、最初の接続応答を受信するか又は全ての網から接続エラー応答を受信するまで待ち状態となる（ステップＳ３０２→Ｓ３０３）。
【００３１】
その後、最初の接続応答受信すると、発側交換装置４は、その接続応答に対応する網による呼を確立する（ステップＳ３０２→Ｓ３０４）。これに対し、全ての網から接続エラー応答を受信した場合、発側端末に、接続エラー応答を送信し（ステップＳ３０３→Ｓ３０５）、処理は終了となる。
以上のように、最も早く受信した応答に対応する網のみを用いて着側端末への接続を行うことにより、複数の網のうち、１つの網についてのみ接続することができる。
なお、上記は、ＦＯＭＡ網、無線ＬＡＮ網、の２種類の網を用いた接続について説明したが、より多くの種類の網を用いた接続について本発明が適用できることは明白である。
【００３２】
（接続制御方法）
上述した接続制御システムにおいては、以下のような接続制御方法が実現されている。すなわち、複数の網を用いて接続可能な着信側端末装置への発信側端末装置からの接続を制御する接続制御方法であって、上記複数の網それぞれについて上記着信側端末装置の在圏確認を行う在圏確認ステップ（図１中のステップＳ１０２〜Ｓ１０５に対応）と、上記在圏確認ステップによる在圏確認結果に基づいて、上記複数の網それぞれを用いて上記着信側端末装置への接続要求を並行して送信する接続要求ステップ（図１中のステップＳ１０６、Ｓ１１１に対応）と、上記複数の網それぞれを用いた着信側端末装置への接続要求を受信した場合、それら接続要求に対する応答を送信する応答送信ステップ（図１中のステップＳ１１３に対応）と、上記接続要求に対する上記着信側端末装置からの応答のうちの１つに対応する網を用いて該着信側端末装置への接続を行う接続制御ステップ（図１中のステップＳ１１６に対応）と、を含む接続制御方法が実現されている。
【００３３】
接続要求を各網に並行して送信することにより、ユーザ情報管理装置に保持している在圏情報と実際の在圏状態とが異なる場合でも、着側端末への着信までの時間が長くなることはない。
【産業上の利用可能性】
【００３４】
本発明は、複数の網を用いて接続可能な着信側端末装置への発信側端末装置からの接続を制御する場合に利用することができる。
【図面の簡単な説明】
【００３５】
【図１】本発明による交換装置、及び、端末装置を利用した接続制御システムの信号授受例を示すシーケンス図である。
【図２】本発明による交換装置、及び、端末装置を利用した接続制御システムの構成例を示すブロック図である。
【図３】図２中の発側交換装置の機能構成例を示すブロック図である。
【図４】図２中の着側端末の機能構成例を示すブロック図である。
【図５】全ての接続応答を待ち、優先順位に従った接続制御を行う場合の処理例を示すフローチャートである。
【図６】最も早い応答について接続制御を行う場合の処理例を示すフローチャートである。
【図７】複数種類の網を用いて接続要求を送信する場合の従来の処理例を示すシーケンス図である。
【図８】ユーザ情報管理装置に保持されているプロファイル情報の例を示す図である。
【符号の説明】
【００３６】
２  発側端末
３  着側端末
３ａ  応答送信手段
３ｂ  報知手段
４  発側交換装置
４ａ  在圏確認手段
４ｂ  接続要求手段
４ｃ  接続制御手段
６  ユーザ情報管理装置
４０〜４２  無線サービスエリア
４３〜４５  無線基地局
Ａ−１  Ａ網交換装置
Ｂ−５  Ｂ網交換装置
【図１】
2008028636.tif 000003
【図２】
2008028636.tif 000004
【図３】
2008028636.tif 000005
【図４】
2008028636.tif 000006
【図５】
2008028636.tif 000007
【図６】
2008028636.tif 000008
【図７】
2008028636.tif 000009
【図８】
2008028636.tif 000010